(57)【要約】【課題】発熱部を収容する本体ケースから熱を輻射する輻射温調装置において、少ない消費エネルギーで広い範囲にわたって効率よく暖房等できること。【解決手段】本体ケース１の内部は、熱伝導性が低い仕切り板２ａ，２ｂによって複数の空間１０ａ，１０ｂ，１０ｃに区画されており、これら空間１０ａ，１０ｂ，１０ｃのうちの少なくとも１つに発熱部のヒータ３が収容され、前記仕切り板２ａ，２ｂ，２ｃには、隣接する空間１０ａ，１０ｂ，１０ｃ内の空気が流通可能な小径の孔部２０が形成されている。【選択図】　図２
2004077115.tif 000002
【特許請求の範囲】
【請求項１】
発熱部であるヒータと、前記ヒータを収容すると共に前記ヒータから発熱された熱をその表面から輻射する本体ケースとを有する輻射温調装置において、
前記本体ケースの内部は、熱伝導性が低い仕切り板によって複数の空間に区画されており、これら空間のうちの少なくとも１つに前記ヒータが収容され、
前記仕切り板には、隣接する空間内の空気が流通可能な小径の孔部が形成されていることを特徴とする輻射温調装置。
【請求項２】
発熱部であるヒータと、前記ヒータを収容すると共に前記ヒータから発熱された熱をその表面から輻射する本体ケースとを有する輻射温調装置において、
前記本体ケースの内部は、熱伝導性が低い仕切り板によって複数の空間に区画されており、隣接していない空間相互間の空気が流通可能であるように前記空間相互を直結する通気路が設けられていることを特徴とする輻射温調装置。
【請求項３】
請求項１または２に記載の輻射温調装置において、
前記本体ケースの内部は、互いに平行に配置される複数の仕切り板によって区画されていることを特徴とする輻射温調装置。
【請求項４】
請求項１ないし３のいずれかに記載の輻射温調装置において、
前記本体ケースは複数の空間が上下方向に積層された筒状の構造体であり、
前記ヒータは、最下段に位置する空間内に配置されていることを特徴とする輻射温調装置。
【請求項５】
請求項１ないし４のいずれかに記載の輻射温調装置において、
前記本体ケースは、熱伝導性の高い表面板と熱伝導性の低い裏面板とを有するパネル状の構造体であることを特徴とする輻射温調装置。
【請求項６】
請求項１ないし５のいずれかに記載の輻射温調装置において、
前記仕切り板には、複数の孔部が形成されると共に前記各孔部を開閉可能な開閉手段が設けられていることを特徴とする輻射温調装置。
【請求項７】
請求項１ないし６のいずれかに記載の輻射温調装置において、
前記本体ケースの表面は凹凸状に形成されていることを特徴とする輻射温調装置。
【請求項８】
請求項１ないし７のいずれかに記載の輻射温調装置において、
前記本体ケースの表面に、示温性材料、マイナスイオン発生材料または遠赤外線が塗布されていることを特徴とする輻射温調装置。
【請求項９】
請求項１ないし８のいずれかに記載の輻射温調装置において、
前記本体ケースにおける前記空間に露出する裏面に、黒体塗料が塗布されていることを特徴とする輻射温調装置。
【請求項１０】
請求項１ないし９のいずれかに記載の輻射温調装置において、
前記発熱部は、前記ヒータに代えて冷熱発生器であることを特徴とする輻射温調装置。
【発明の詳細な説明】
【０００１】
【発明の属する技術分野】
本発明は、発熱部を収容する本体ケースの表面から前記発熱部からの熱を輻射する本体ケースを有する輻射温調装置に関するものである。
【０００２】
【従来の技術】
現在、暖房装置として、石油やガスなどの燃焼熱によって暖房するストーブや、燃焼部や発熱部の後方からファンで温風を送り出すファンヒータ、外気の熱を汲み上げて暖房するエアーコンディショナ等をはじめ、利用者のニーズに合わせて様々なタイプの暖房装置が利用されている。
【０００３】
近年、燃焼ガスや巻き上げられるホコリの人体への影響を配慮して、小さな子供や老人、アレルギー体質の人がいる家庭においては、燃焼ガスや温風が出ないオイルヒータやパネルヒータ、床暖房等の輻射熱を利用した輻射暖房装置が好んで利用されている。このような輻射暖房装置は、通常、電気によって加熱される電熱線やオイル・温水などの熱媒体からなる発熱部と、前記発熱部を被覆又は収容する熱伝導性の高い本体ケースとから構成されており、前記本体ケースから外部に輻射された輻射熱によって暖房するものである。
【０００４】
そのため、前述のように、燃焼ガスや温風などによる人体へ影響の心配がないと共に、発熱部が本体ケースに被覆されているから接触による火傷や引火の危険性も低いため子供部屋にも安心して利用することができる。また、使用時に発生する音も小さく静かであるから就寝時の利用にも適している。
【０００５】
【特許文献１】
特開平１１−３４４２２９号公報
【０００６】
【発明が解決しようとする課題】
しかしながら、上記の輻射暖房装置は、立ち上がりに時間がかかってしまうと共に発熱量もあまり高くないため、部屋全体の室温をあげたり、空気の出入が多い部屋の室温を維持する目的での利用にはあまり適していない。また、多くの輻射温調装置において、発熱部の加熱に用いられる電気は石油やガス等の燃料熱源よりも高価格であり暖房費も割高になるため、輻射暖房装置の発熱量や暖房効果を向上させるために発熱部を増強することは経済的にみて得策ではない。
これらの諸事情から、輻射暖房装置は、トイレ等の狭い空間の暖房を別とすれば、専ら、至近距離用の暖房や補助暖房として用いられている。
【０００７】
また、輻射暖房装置は、前記発熱部の配設部分が小さいため、発熱部の配置部分では輻射熱によって熱過ぎるくらいに暖かいが、発熱部の配置部分から離れると輻射熱は届かないため一向に暖まらないという不具合が起こる。従って、輻射暖房装置では、本体ケースの近傍のごく狭い範囲だけを暖めることしかできない。
なお、以上の事情は、発熱部を冷熱発生器とした輻射冷房装置においても同様のことが言える。
【０００８】
本発明は、上記事情を鑑みてなされたものであり、輻射温調装置において、少ない消費エネルギーで装置における広い範囲にわたって効率よく暖房または冷房できることを課題とする。
【０００９】
【課題を解決するための手段】
＊１項
上記課題を解決するための本発明の技術的手段は、『発熱部であるヒータと、前記ヒータを収容すると共に前記ヒータから発熱された熱をその表面から輻射する本体ケースとを有する輻射温調装置において、
前記本体ケースの内部は、熱伝導性が低い仕切り板によって複数の空間に区画されており、これら空間のうちの少なくとも１つに前記ヒータが収容され、
前記仕切り板には、隣接する空間内の空気が流通可能な小径の孔部が形成されている』ことを特徴とするものである。
これによれば、ヒータがＯＮになると、前記ヒータの発熱によってヒータが収容された第１の空間内の空気が暖められる。この暖められた空気の一部の熱量は仕切り板の孔部を流通する空気によって隣接する第２の空間へと伝達され、残りの熱量は第１の空間内を対流している間に本体ケースに伝達されて外部へと輻射される。前記第１の空間からの熱量の伝達によって暖められた第２の空間の空気は、隣接する第３の空間が存在する場合には、第１の空間の場合と同様に、一部の熱量は前記第３の空間へと伝達され、残りの熱量は空間内を対流する間に本体ケースを介して外部へと輻射される。また、第３の空間が存在しない場合は、すべての熱量は空間内に保有されて対流する間に本体ケースから外部へと輻射される。第４、第５又はそれ以上の空間が存在する場合も同様である。
【００１０】
このように、前記ヒータによって暖められた空気の一部の熱量が１つ又は複数の前記ヒータを有しない空間に伝達されることで、前記ヒータを有しない空間からも外部に輻射熱を輻射することができる。また、前記ヒータから発熱された熱量は、各空間内の空気に保有された後に、前記本体ケースを介して外部へ輻射されるため、前記ヒータは外部に輻射された熱量分だけを前記本体ケース内に供給すればよい。
各空間相互間の空気の流通量が制限されているため、隣接する空間内の熱量が均一化されにくく各空間内の温度の差異を維持することができる。
【００１１】
＊２項
また、本発明の他の技術的手段は、『発熱部であるヒータと、前記ヒータを収容すると共に前記ヒータから発熱された熱をその表面から輻射する本体ケースとを有する輻射温調装置において、
前記本体ケースの内部は、熱伝導性が低い仕切り板によって複数の空間に区画されており、隣接していない空間相互間の空気が流通可能であるように前記空間相互を直結する通気路が設けられていることを特徴とする』ことである。
これにより、隣接していない空間相互間の空気を流通させることで、ヒータが収容された空間の配置位置に関係なく各空間の温度を不規則に変化させることができる。よって、前記本体ケースの各位置によって、輻射熱の大きさを自由に設定することができる。
【００１２】
＊３項
１項又は２項において、『前記本体ケースの内部は、互いに平行に配置される複数の仕切り板によって区画されている』ことを特徴とするものでは、本体ケースの内部は各空間が平行に積層された構成となるから、隣接する空間相互間の空気の流通方向が一定であり、安定的且つ速やかに熱量が各空間へと伝達されるため、輻射温調装置の立ち上がりが早い。
【００１３】
＊４項
１項ないし３項において、『前記本体ケースは複数の空間が上下方向に積層された筒状の構造体であり、前記ヒータは、最下段に位置する空間内に配置されている』ことを特徴とするものでは、暖められた空気は軽くなり上昇する性質を有しているから、熱量が素早く上方に積層された空間へと伝達されるため、輻射温調装置の立ち上がりがよりいっそう早い。
また、前記ヒータが最下段に配置されていることで、前記本体ケースの下層部は高温で暖かく上層部に行くにつれて徐々に低温となるため、頭寒足熱の理想的な暖房を実現することができる。
【００１４】
＊５項
１項ないし４項において、『前記本体ケースは、熱伝導性の高い表面板と熱伝導性の低い裏面板とを有するパネル状の構造体である』ことを特徴とするものでは、輻射熱は表面板側のみから輻射されるため、例えば、壁材や床材等の家屋の構造材に用いる場合に、部屋の内側を効率よく暖房することができると共に、裏面板が断熱材となって部屋内の熱量を外部へ逃がさない。
また、このパネル状の輻射温調装置を家屋の構造材として用いることで、冬季の結露や湿気によるカビの発生を防止することができるため衛生的である。
【００１５】
＊６項
１項ないし５項のいずれかにおいて、『前記仕切り板には、複数の孔部が形成されると共に前記各孔部を開閉可能な開閉手段が設けられている』ことを特徴とするものでは、各孔部を開閉することで伝達される熱量を調節できるため、各空間から外部へ輻射される輻射熱の大きさを調節することができる。また、前記仕切り板の孔部を完全に閉塞することで、輻射熱が輻射される範囲を前記本体ケースの一部分に制限することもできる。
【００１６】
＊７項
１項ないし６項のいずれかにおいて、『前記本体ケースの表面は凹凸状に形成されている』ことを特徴とするものでは、前記本体ケースの表面積が大きく、輻射される輻射熱も大きくなるため、効率よく暖房することができる。
【００１７】
＊８項
１項ないし７項のいずれかにおいて、『前記本体ケースの表面に、示温性材料、マイナスイオン発生材料または遠赤外線が塗布されている』ことを特徴とするものでは、示温性材料を塗布すれば、空間内の温度上昇に伴って本体ケース表面が色変化するので、使用者にとっては輻射温調装置が稼動していることを確認でき、しかも、各空間内の温度状態を視認することができる。また、マイナスイオン発生材料を塗布すれば、マイナスイオンによる癒し効果が発揮されると共にイオン分子による吸着作用によって室内のホコリ等を除去する空気清浄効果が発揮される。さらに、遠赤外線発生材料を塗布すれば、遠赤外線による更なる暖房効果を発揮させることができる。
【００１８】
＊９項
１項ないし８項のいずれかにおいて、『前記本体ケースにおける前記空間に露出する裏面に、黒体塗料が塗布されている』ことを特徴とするものでは、本体ケースにおける空間からの熱吸収が向上されるので、本体ケース表面からの熱の輻射を更に効率よく行うことができる。
【００１９】
＊１０項
１項ないし９項のいずれかにおいて、『前記発熱部は、前記ヒータに代えて冷熱発生器である』ものでは、以上の暖房装置とは逆の冷房装置が得られる。
【００２０】
【発明の効果】
上記のような構成であるから本発明は次の特有の効果を有する。
本発明の輻射温調装置においては、本体ケース内部を仕切り板によって複数の空間に区画し、隣接する空間相互間内の空気を流通可能としているから、前記複数の空間うちの１つ又はいくつかに発熱部であるヒータを収容させることで、前記ヒータを有しない空間からも輻射熱が外部に輻射されるから、暖房面積あたりの消費エネルギー量が小さい。また、外部に輻射された熱量分だけを前記本体ケースに供給することで輻射熱を維持できるから、単位時間あたりの消費エネルギー量も小さい。
【００２１】
これらより、少ない消費エネルギー量で広い範囲にわたって効率よく且つ経済的に暖房することができる。
また、仕切り板によって区画された各空間の温度の差異が維持されるから、前記仕切り板やヒータの位置を調整することで、本体ケースから輻射される輻射熱の大きさを、例えば、前記本体ケースの上下・左右方向に沿って、格子状・放射状といったように、前記本体ケースの各位置によって変化させることができる。
【００２２】
また、２項のものによれば、互いに隣接していない空間相互を直結する通気路が形成されていることで、互いに隔離されている空間内の空気を流通できるため、前記本体ケースの各位置によって輻射熱の大きさを自由に設定することができる。
【００２３】
また、３項のものによれば、平行に配置される仕切り板によって本体ケースの内部が区画されていることで、熱量が安定的且つ速やかに各空間に伝達されるため、輻射温調装置の立ち上がりが早い。
【００２４】
また、４項のものによれば、上下方向に複数の空間が積層された柱状の本体ケースの最下段にヒータが配置されている構成としたことで、熱量が素早く各空間へと伝達されるため、輻射温調装置の立ち上がりがよりいっそう早い。また、頭寒足熱の理想的な暖房を実現することができる。
【００２５】
また、５項のものによれば、本体ケースを熱伝導性の高い表面板と熱伝導性の低い裏面板とを有するパネル状の構造体としたことで、家屋の構造材に用いる場合に、部屋を効率よく暖房できると共に部屋の熱量を外部へ逃がさない。また、結露や湿気によるカビの発生を防止することができるため衛生的である。
【００２６】
また、６項のものによれば、仕切り板に複数の孔部と前記各孔部を開閉可能な開閉手段が設けられることで、開閉手段によって伝達される熱量を調節できるから、輻射される輻射熱の大きさを調節することができる。また、すべての孔部を閉塞することで、輻射熱が輻射される範囲を一部分に制限することもできる。
【００２７】
また、７項のものによれば、本体ケースの表面を凹凸状に形成したことで、前記本体ケースから輻射される輻射熱が大きくなるため、効率よく暖房することができる。
【００２８】
また、８項のものによれば、輻射温調装置が稼動していることを確認できたり、マイナスイオンによる癒し効果や空気清浄効果が発揮できたり、遠赤外線による更なる暖房効果を発揮させることができるものが容易に得られる。
【００２９】
また、９項のものによれば、本体ケースにおける空間からの熱吸収が向上されるので、本体ケース表面からの熱の輻射を更に効率よく行うことができる。
また、１０項のものによれば、暖房装置とは逆の冷房装置が得られる。
【００３０】
【発明の実施の形態】
以下に、本発明の実施の形態について添付図面を参照しながら詳述する。
本発明実施の形態の一例である輻射暖房装置を図１に示している。
このものは、熱伝導性の高いアルミニウム材からなる本体ケース１と、前記本体ケース１の内部を上下方向に３つの空間１０ａ，１０ｂ，１０ｃに区画する熱伝導性の低い仕切り板２ａ，２ｂと、前記本体ケース１の底板部１３に取付けられる棒状の電熱式ヒータ３と、前記本体ケース１を支持する台部材６とから構成されている。前記仕切り板２ａ，２ｂには、所定の間隔で３つの小径の孔部２０が形成されると共に、前記孔部２０を開閉して各空間１０ａ，１０ｂ，１０ｃ内の温度を調節することができる温度調節板４ａ，４ｂが取付けられている。
【００３１】
前記本体ケース１は、図１又は図３に示されるように、扁平率の大きな楕円状断面を有する筒状の周壁部１１と、前記周壁部１１の上下を閉塞する頂板部１２及び底板部１３とからなる中空の筒状構造体であり、その内部は後述する仕切り板２ａ，２ｂによって略同容量の３つ空間１０ａ，１０ｂ，１０ｃに区画されている。
【００３２】
前記周壁部１１の内周面には、図２に示されるように、前記仕切り板２ａ，２ｂを気密状態に保持する保持部１４が形成されており、前記底板部１３には、前記電熱式ヒータ３の電源コード７を挿通するための挿通孔１７と、前記電熱式ヒータ３による過加熱によって前記底板部１３が劣化されることを防止するために過剰な熱量を外部に排出するための小径の通気孔１８とがそれぞれ形成されている。
【００３３】
前記仕切り板２ａ，２ｂには、等間隔で３つの小径の孔部２０が形成された平面板であり、その下面側には後述する温度調節板４ａ，４ｂを長手方向にスライド自在に保持する保持レール４４が取付けられている。
【００３４】
前記温度調節板４は、図３に示されるように、前記孔部２０の形成範囲と略同じ長さの開閉板部４１と、前記開閉板部４１の中央部から本体ケース１の外側に突出するように連設された突出片部４２とから構成されるＴ字状の板部材であり、前記仕切り板２ａ，２ｂの下面側に所定の範囲において左右にスライド自在であるように前記保持レール４４に保持されている。
【００３５】
前記開閉板部４１には、図３及び図４に示されるように、スライド位置によって各孔部２０を開放又は閉塞し得るように矩形状の開放部４０が形成されている。また、前記突出片部４２の先端部には耐熱性の合成樹脂材からなるツマミ部材４３が取付けられている。
【００３６】
前記台部材６は、図２に示されるように、前記本体ケース１の底板部１３の周縁部を下方から支持する支持片部６１と脚部６２とからなり、前記脚部６２は前記底板部１３又は通気孔１８から排出された過剰な熱量を外部へ放出できるように、中央部分が上方に浮き上がった形状となっている。
【００３７】
＊輻射暖房装置の使用について
次に、上記の輻射暖房装置を実際に使用する場合について説明する。
図３に示されるように、仕切り板２ａ，２ｂの孔部２０がすべて開放されるように温度調節板４ａ，４ｂの位置を調節して輻射暖房装置の電源をＯＮにすると、電熱式ヒータ３から発熱された熱が対流によって拡散されて下段の空間１０ａ内の空気が暖められる。この暖められた空気の熱量は、前記空間１０ａ内を対流する間に前記周壁部１１を介して外部へと輻射されると共に、一部の熱量は仕切り板２ａの孔部２０から隣接する中段の空間１０ｂへと伝達される。前記空間１０ｂに伝達された空気の熱量は対流によって拡散されて、前述の空間１０ａの場合と同様に、前記周壁部１１から外部へ輻射されると共に前記仕切り板２ｂの孔部２０から上段の空間１０ｃへと伝達される。そして、前記空間１０ｃに伝達された空気の熱量は、前記空間１０ｃ内を対流する間に前記周壁部１１から外部へと輻射される。
【００３８】
ここで、各空間１０ａ，１０ｂ，１０ｃ内の空気の温度は上段、中段、下段の順に低温となる。また、前記孔部２０によって熱量の伝達が制限されているため、隣接する空間１０ａ，１０ｂ，１０ｃ内の熱量が均一化されにくく、各空間１０ａ，１０ｂ，１０ｃ内はそれぞれ異なった温度に維持される。
【００３９】
また、この輻射暖房装置においては、前記温度調節板４をスライド移動させて、図４（ａ）（ｂ）に示されるように、３つのうちの１つ又は２つの孔部２０を閉塞することで各空間１０ｂ，１０ｃの熱量を制限して、各空間１０ａ，１０ｂ，１０ｃ相互間の温度差をより大きくすることができる。
【００４０】
上記のような構成であるため、この例の輻射暖房装置は、前記３つの空間１０ａ，１０ｂ，１０ｃの下段の空間１０ａに電熱式ヒータ３を収容させることで、前記電熱式ヒータ３を有しない各空間１０ｂ，１０ｃからも輻射熱が輻射されるため、前記本体ケース１の全体に前記電熱式ヒータ３を配設するものと比べて、暖房可能な面積あたりの消費エネルギー量が小さい。また、前記電熱式ヒータ３から発熱された熱量は、各空間１０ａ，１０ｂ，１０ｃ内の空気に保有された後に、前記周壁部１１に伝達されて外部へ輻射されるため、前記電熱式ヒータ３から直接本体ケース１に熱量を供給する構成のものと比べて、前記本体ケース１からの輻射熱を維持するために必要な単位時間あたりの消費エネルギー量も小さい。
そのため、この輻射暖房装置は、少ない消費エネルギー量で輻射暖房装置全体からの広い範囲にわたって効率よく且つ経済的に暖房することができる。
【００４１】
また、前記電熱式ヒータ３が下段の空間１０ａに取付けられ、前記各空間１０ａ，１０ｂ，１０ｃ内の温度は下段、中段、上段の順に徐々に低温になるから、前述の例と同様に、前記本体ケース１からの輻射熱も下層部が最も大きく、上層部へ行くにつれて小さくなるため、頭寒足熱の理想的な暖房を実現することができる。
【００４２】
この例のものでは、３つの空間が上下方向に平行に積層されているため、前記電熱式ヒータ３によって暖められて冷たい空気よりも軽くなった空気は、空間１０ａ，１０ｂ内に生じる対流と空気自身の上昇する性質によって上方の各空間１０ｂ，１０ｃへスムーズに移動するため、熱量は速やかに且つ安定的に前記各空間１０ｂ，１０ｃに伝達される。これにより、前記本体ケース１から輻射される輻射熱の大きさが素早く設定値に達することができる。つまり、輻射暖房装置の立ち上がりが早い。
【００４３】
また、この例のものでは、前記仕切り板２ａ，２ｂの孔部２０を開閉可能な温度調節板４ａ，４ｂによって、各空間１０ａ，１０ｂ，１０ｃに伝達される熱量を調節することができるため、前記本体ケース１の各位置から輻射される輻射熱の大きさを調節することができる。
【００４４】
＊その他の実施の形態
本発明の輻射暖房装置は上記の実施の形態に限られるものではない。
図５には、本体ケース１内の互いに隣接していない空間１０ａ，１０ｃ相互を連結する通気路５を設けた構成の輻射暖房装置を示している。
【００４５】
この例のものは、アルミニウム製の本体ケース１と、その内部を３つの空間１０ａ，１０ｂ，１０ｃに区画する仕切り板２ａ，２ｂと、互いに隔離している空間１０ａ，１０ｃとを連結する２本の通気路５と、下段の空間１０ａに取付けられる電熱式ヒータ３と、前記仕切り板２ａ，２ｂの孔部２０を開閉する温度調節板４ａ，４ｂと、台部材６とから構成されている。前記本体ケース１の周壁部１１は、図６に示されるように、波形状のアルミニウム板材から形成されており、前記通気路５と温度調節板４ａ，４ｂ以外は、前述の輻射暖房装置と同じ構成となっている。
前記通気路５は、非熱伝導性の材料から形成された円筒体であり、前記仕切り板２ａ，２ｂに対して垂直に取付けられている。
【００４６】
前記温度調節板４ａ，４ｂには、３つの矩形状の開放部４０が所定の間隔で形成されており、これにより、仕切り板２ａ，２ｂの孔部２０を介して前記空間１０ａ，１０ｂ，１０ｃ内へ熱量を伝達する場合には、図６（ａ）に示されるように、前記通気路５の口部５０を閉塞し且つ前記孔部２０を開放して各空間１０ａ，１０ｂ，１０ｃに熱量を伝達できるようになっている。一方、前記通気路５を用いる場合には、図６（ｂ）に示されるように、前記通気路５の口部５０を開放し且つ前記孔部２０を閉塞して上段の空間１０ｃのみに熱量を伝達できるようになっている。また、この例のものは、前述の例と同様に、前記温度調節板４ａ，４ｂをスライド移動させて、前記３つの孔部２０の１つ又は２つだけを閉塞することもできる。
【００４７】
このような構成であるから、この輻射暖房装置では、前述の例と同様に、前記本体ケース１からの輻射熱を下層部から上層部に向かって徐々に小さくなるように変化させることができると共に、下段の空間１０ａ内の熱量を中段の空間１０ｂを介さずに隔離された上段の空間１０ｃに直接伝達させることができる。これにより、この輻射暖房装置は、本体ケース１の上層部と下層部からは輻射熱が輻射されるが中層部からは輻射されないというように、前記本体ケース１の各位置の輻射熱の大きさを不規則に変化させることができる。
【００４８】
また、この例のものでは、前記本体ケース１の表面が波形状となっているため、前記本体ケース１の表面積が大きく輻射熱も大きいため、効率よく暖房することができる。
【００４９】
図７には、本発明の輻射暖房装置を壁材に実施したものを示している。
この例のものは、熱伝導性の高い表面板１５と、熱伝導性の低い裏面板１６とからなるパネル状の本体ケース１と、その内部を上下方向に４つの空間１０ａ，１０ｂ，１０ｃ，１０ｄに区画する仕切り板２と、前記本体ケース１の底板面１３に取付けられる棒状の電熱式ヒータ３とから構成されており、前記仕切り板２にはそれぞれ３つ又は４つの小径の孔部２０がそれぞれ形成されている。ここで、前記本体ケース１内における熱量の伝達や各空間１０ａ，１０ｂ，１０ｃ，１０ｄ内の温度変化等については前述の輻射暖房装置の場合と同じである。
【００５０】
このような構成であるため、この例の輻射暖房装置は、前記表面板１５側を部屋に面するように配設することで、部屋の内側だけに輻射熱を輻射させて部屋を効率よく暖房できると共に、前記裏面板１６によって外部への熱の流出を阻止できるから保温性も高い。また、壁材にこの例の輻射暖房装置を用いることで、暖房によって壁材に生じる結露や湿気によるカビの発生を防止できるため衛生的である。
【００５１】
図８には、本発明の輻射暖房装置を床材に実施したものを示している。
この例のものは、前述の壁材と同様に、熱伝導性の高い表面板１５と、熱伝導性の低い裏面板１６とからなるパネル状の本体ケース１と、その内部を同心状に３つの空間１０ａ，１０ｂ，１０ｃに区画する本体ケース１と相似形状の仕切り枠２１と、前記本体ケース１の中央部に取付けられるシート状の電熱式ヒータ３とから構成されており、前記仕切り枠２の各辺にはそれぞれ１つ又は２つの小径の孔部２０がそれぞれ形成されている。ここで、前記本体ケース１内における熱量の伝達や各空間１０ａ，１０ｂ，１０ｃ内の温度変化等については前述の輻射暖房装置の場合と同じである。
【００５２】
上記のような構成であるため、前記表面板１５が床面となるように配設することで、前述の壁材と同様に、効率よく暖房できると共に保温性も高い。また、床材にこの例の輻射暖房装置を用いることで、前記電熱式ヒータ３の熱量が外側の空間１０ｂ、１０ｃへ伝達されるため、前記電熱式ヒータ３が配設されていない床面部分の温度を室温又は冷たく感じない程度とすることができ、位置によって極端に温冷の差が生じることがないから快適である。
【００５３】
＊その他
前述の例において、前記本体ケース１の内部は上下方向又は同心状に区画されているが、前記本体ケース１は左右方向や斜め方向に区画されるものであっても、格子状や同心円状に区画されるものであってもよい。また、前記仕切り板３や仕切り枠２１は、前述の例のように、互いに平行に配設されるものに限られない。
【００５４】
また、前記電熱式ヒータ３は、上下方向に区画された空間１０ａ，１０ｂ，１０ｃ，１０ｄの最下段の空間１０ａに収容されているが、その他の空間１０ｂ，１０ｃ，１０ｄに収容させるものであってもよい。また、いずれの例においても、前記電熱式ヒータ３は１つの空間１０ａのみに取付けられているが、前記本体ケース１が多数の空間に区画されている場合や、前記本体ケース１から輻射される輻射熱の大きさをより複雑に変化させたい場合などは、２つ以上の空間に前記電熱式ヒータ３を取付けてもよい。この場合、上方の電熱式ヒータほどワット数を小さいものとする等各ヒータのワット数を異ならしめてもよい。これにより、電源をＯＮしてから一層早くに各空間が温度上昇されて暖房効果を直ちに発揮させることができる。
【００５５】
前述の例において、前記本体ケース１は１つの筒体又はパネル状の構造体であって、その内壁に配設された前記仕切り板２ａ，２ｂによって複数の空間１０ａ，１０ｂ，１０ｃ，１０ｄに区画されているが、複数のケース部材を仕切り板２ａ，２ｂによって連結させて本体ケース１とする構成のものであってもよい。このような構成としたものでは、前記ケース部材相互が非連続であるから熱伝導性の高い周壁部１１を介して各空間１０ａ，１０ｂ，１０ｃ，１０ｄの熱量が隣接する空間１０ａ，１０ｂ，１０ｃ，１０ｄに伝達されることがない。そのため、各空間１０ａ，１０ｂ，１０ｃ，１０ｄ内の温度差をより確実に維持することができる。
【００５６】
また、図９および図１０には、本体ケース１１の表面において垂直方向に等間隔に配置した放熱フィン１１０を設けたものを示している。
この本体ケース１１は、例えば、アルミニウムの押出し成形等によって作成することができる。そして、このものでは、表面の放熱フィン１１０によって表面積が大きくなって熱の輻射を多くできるので、効率よく暖房することができ、且つ省エネ効果も発揮することができる。なお、このものは、本体ケース１１を円筒形状とするが、その他の構造は、図１に示したものと同様である。
【００５７】
また、本発明の輻射温調装置としては、前述した本体ケース１の表面には、温度によって色変化する示温性材料を塗布するようにしてもよい。例えば、温度上昇に伴って青色から赤色へと変化するような示温性材料を塗布すればよい。これにより、空間内の温度上昇に伴って本体ケース表面が色変化するので、使用者にとっては輻射暖房装置が稼動していることを確認でき、しかも、各空間内の温度状態を視認することができる。なお、前記示温性材料としては、例えば、サーモペイント（日油技研工業株式会社製）等を使用してもよい。
【００５８】
また、本発明の輻射温調装置としては、本体ケース１の表面には、トルマリン等のマイナスイオン発生物質や、遠赤外線発生物質等をコーティングするようにしてもよい。これにより、マイナスイオン発生物質を本体ケース１表面に塗布することによって、マイナスイオンによる癒し効果が発揮されると共にイオン分子による吸着作用によって室内のホコリ等を除去する空気清浄効果が発揮される。また、遠赤外線発生物質を本体ケース１表面に塗布することによって、遠赤外線による更なる暖房効果を発揮させることができる。
【００５９】
また、本発明の輻射温調装置としては、本体ケース１における空間に露出する裏面に熱吸収塗料としての黒体塗料を塗布するようにしてもよい。これにより、本体ケースにおける空間からの熱吸収が向上されるので、本体ケース１表面からの熱の輻射を更に効率よく行うことができる。
【００６０】
また、本発明の輻射温調装置としては、上述の例では、暖房装置を例に挙げるが、上記電熱式ヒータ３に代えて公知の冷熱発生器を設置した輻射冷房装置としてもよい。この場合、冷熱発生器は、熱の対流上好ましくは、上方の空間に設置するのがよい。輻射冷房装置とする場合は、ケース本体１表面から冷熱が輻射されて冷房効果を発揮することができる。
【００６１】
また、本発明の輻射温調装置としては、本体ケース１の形状は、図１に示す楕円形状、図７に示す直方体形状、図９に示す円形状等の他にも、種々の形状としてもよい。
【図面の簡単な説明】
【図１】本発明実施の形態における輻射暖房装置を示す斜視図である。
【図２】図１のＡ−Ａ断面図である。
【図３】図２のＢ−Ｂ断面図である。
【図４】（ａ）仕切り板の１つの孔部が閉塞された状態を示す説明図である。
（ｂ）仕切り板の２つの孔部が閉塞された状態を示す説明図である。
【図５】他の本発明実施の形態における輻射暖房装置を示す断面図である。
【図６】（ａ）図５のＣ−Ｃ断面図である。
（ｂ）仕切り板のすべての孔部が閉塞され且つ通気路が開放された状態を示す説明図である。
【図７】他の実施の形態におけるパネル型の輻射暖房装置を示す斜視図である。
【図８】他の実施の形態におけるパネル型の輻射暖房装置を示す断面図である。
【図９】他の実施の形態における輻射暖房装置を示す斜視図である。
【図１０】図９の輻射暖房装置を示す断面図である。
【符号の説明】
（１）・・・本体ケース
（２）（２ａ）（２ｂ）・・・仕切り板
（３）・・・電熱式ヒータ
（４ａ）（４ｂ）・・温度調節板
（５）・・・通気路
（６）・・・台部材
（１０ａ）（１０ｂ）（１０ｃ）（１０ｄ）・・・内部空間
（２０）・・・孔部
（１１０）・・・放熱フィン
【図１】
2004077115.tif 000003
【図２】
2004077115.tif 000004
【図３】
2004077115.tif 000005
【図４】
2004077115.tif 000006
【図５】
2004077115.tif 000007
【図６】
2004077115.tif 000008
【図７】
2004077115.tif 000009
【図８】
2004077115.tif 000010
【図９】
2004077115.tif 000011
【図１０】
2004077115.tif 000012